(57)【要約】【課題】電線と電線が挿入される対象物との間をシール部材のリップ部の弾性変形によって水密にシールする際に、高温の環境下であっても長くシール性を発揮できるようにする。【解決手段】円筒状のシール部材１０の中心を貫通する貫通孔１０ａの内周面１０ｂに、リップ部１０ｃが膨出形成する。リップ部１０ｃは、貫通孔１０ａの貫通方向の周りに環状に延在している。リップ部１０ｃの周方向と直交する方向の断面において略二等辺三角形状を呈するリップ部１０ｃの２つの斜辺上に、環状凹部１０ｄをそれぞれ形成する。各環状凹部１０ｄを略半円状の窪みによって構成し、リップ部１０ｃの各斜辺における、貫通孔１０ａの中心Ｏから同じ半径ｒの同心円上にそれぞれ形成する。【選択図】図３
2015204689.tif 000002
【特許請求の範囲】
【請求項１】
電線と電線が挿入される対象物との間をシールする水密用のシール部材において、
前記電線が挿通される貫通孔を有するシール部と、
前記シール部の少なくとも前記貫通孔の内周面から膨出形成され、該貫通孔の貫通方向の周りに環状に延在するリップ部と、
前記リップ部のうち該リップ部の膨出方向における先端を除く部分の表面に形成された環状凹部と、
を備えることを特徴とするシール部材。
【請求項２】
前記環状凹部は、前記リップ部の表面のうち、前記貫通孔に対する同一径の同心円上の２箇所に、それぞれ同一形状で形成されていることを特徴とする請求項１記載のシール部材。
【請求項３】
前記環状凹部は、該環状凹部の周方向と交わる断面において円弧状の輪郭を有していることを特徴とする請求項１又は２記載のシール部材。
【請求項４】
前記対象物は、前記貫通孔に前記電線を挿通した状態で前記シール部が挿入される挿入孔を有するハウジングであり、前記リップ部はさらに、前記シール部の外周面から膨出形成されて前記貫通方向の周りに環状に延在していることを特徴とする請求項１、２又は３記載のシール部材。
【発明の詳細な説明】
【技術分野】
【０００１】
本発明は、電線と電線が挿入される挿入孔との間に介挿する水密用のシール部材に関する。
【背景技術】
【０００２】
電線をハウジングの挿入孔に挿入する場合や、端子を加締めた電線の端部を防水コネクタの端子挿入孔に挿入する場合等には、電線と挿入孔との間や、電線に加締めた端子と端子挿入孔との間に、水密用のゴム製のシール部材が介挿される。
【０００３】
この種のシール部材は筒状を呈しており、シール部材には、シール部材を挿入した挿入孔の内周面に弾接するリップが外周面に突設されたり、シール部材の貫通孔に挿通した電線の外周面に弾接するリップが貫通孔の内周面に突設される。このようなシール部材は、単体でハウジングの挿入孔に挿入されたり、厚肉の板状のマットシールに突設されて防水コネクタの電線引出部分に挿入される。
【０００４】
上述したシール部材は、特にリップが設けられている場合、挿入孔への挿入や電線の挿入によりリップがシール部材の径方向に弾性変形して圧縮することで、挿入孔の内周面や電線の外周面に対する弾接力を得てシール機能を発揮する。
【０００５】
そして、本出願人は、シール部材の径方向の肉厚を十分に確保できない場合にシール性とハウジングの挿入孔に対する挿入性とを確保できる防水ゴム栓の潰し率及び潰し量を、過去に提案した（例えば、特許文献１）。
【先行技術文献】
【特許文献】
【０００６】
【特許文献１】特開２００３−２７２７５８号公報
【発明の概要】
【発明が解決しようとする課題】
【０００７】
上述した提案では、防水ゴム栓の潰し率を抑えることで挿入孔への挿入性を担保しつつ、防水ゴム栓の潰し量をある程度確保することでシール性を維持することができる。但し、リップを設けたシール部材にこれを適用すると、潰れる部分が専らリップ部に集中するので、リップ部が相応の圧縮率となる。
【０００８】
したがって、例えば車両のエンジンルーム等の高温環境下で使用するシール部材のように、高い圧縮率のリップ部が熱による圧縮永久ひずみで永久変形を起こしやすい環境で使用するシール部材については、永久変形によるシール性の低下に対して何らかの対策が必要となる。
【０００９】
本発明は前記事情に鑑みなされたもので、本発明の目的は、電線と電線が挿入される対象物との間をシール部材のリップ部の弾性変形によって水密にシールする際に、高温の環境下であっても長くシール性を発揮できるシール部材を提供することにある。
【課題を解決するための手段】
【００１０】
上記目的を達成するため請求項１に記載した本発明のシール部材は、
電線と電線が挿入される対象物との間をシールする水密用のシール部材において、
前記電線が挿通される貫通孔を有するシール部と、
前記シール部の少なくとも前記貫通孔の内周面から膨出形成され、該貫通孔の貫通方向の周りに環状に延在するリップ部と、
前記リップ部のうち該リップ部の膨出方向における先端を除く部分の表面に形成された環状凹部と、
を備えることを特徴とする。
【００１１】
請求項１に記載した本発明のシール部材によれば、貫通孔に電線を挿通すると、リップ部の膨出方向における先端から基端に向けた反力が電線からリップ部に加わる。この反力によりリップ部は、環状凹部を挟んだリップ部の先端側と基端側とがリップ部の膨出方向において近づくように変形しようとする。
【００１２】
また、リップ部に環状凹部を形成すると、環状凹部を形成しない場合よりも、周辺雰囲気の圧力を受けるシール部材の受圧面の面積が環状凹部の部分において増える。そして、環状凹部に加わったシール部材の周辺雰囲気の圧力は、リップ部の内部側に向かう環状凹部の表面の法線方向に作用する。
【００１３】
このため、環状凹部に加わるリップ部の周辺雰囲気の圧力が電線からの反力に対抗して、環状凹部を挟んだリップ部の先端側と基端側とが近づく変形を緩和させるように働く。
【００１４】
したがって、電線と電線が挿入される対象物との間をシール部材の電線が圧接するリップ部の変形によって水密にシールする際に、圧縮永久ひずみの原因となるリップ部の圧縮量を減らして、高温の環境下であっても長くシール性を発揮できるようにすることができる。
【００１５】
また、請求項２に記載した本発明のシール部材は、請求項１に記載した本発明のシール部材において、前記環状凹部は、前記リップ部の表面のうち、前記貫通孔に対する同一径の同心円上の２箇所に、それぞれ同一形状で形成されていることを特徴とする。
【００１６】
請求項２に記載した本発明のシール部材によれば、請求項１に記載した本発明のシール部材において、貫通孔に対する同一径の同心円上に存在する２つの環状凹部は、リップ部の表面のうちリップ部の膨出方向における先端を挟んで貫通孔の貫通方向の両側にそれぞれ位置することになる。
【００１７】
したがって、リップ部の先端を挟んだ貫通孔の貫通方向の両側の対称な位置からリップ部に、リップ部の接触相手（電線や挿入孔）からリップ部に加わる反力に対抗する力が、対称な方向及び大きさでそれぞれ作用することになる。
【００１８】
このため、リップ部の変形をリップ部の先端を挟んだ両側の２箇所でそれぞれ同じように緩和させて、変形が緩和されたリップ部をより原形に近い形状に復元させることができる。これにより、圧縮永久ひずみの原因となる圧縮力が一部の部分に局所的に生じた状態でリップ部が電線と挿通孔との間に介挿され続けるのを避けることができる。
【００１９】
さらに、請求項３に記載した本発明のシール部材は、請求項１又は２に記載した本発明のシール部材において、前記環状凹部は、該環状凹部の周方向と交わる断面において円弧状の輪郭を有していることを特徴とする。
【００２０】
請求項３に記載した本発明のシール部材によれば、請求項１又は２に記載した本発明のシール部材において、リップ部の内部側に向かう環状凹部の表面の法線方向に作用するシール部材の周辺雰囲気からの圧力で、リップ部の環状凹部近傍の部分が、リップ部の内部側に向けて均等な力で放射状に押圧されることになる。
【００２１】
このため、リップ部の周辺雰囲気からの圧力によりリップ部に働く圧縮力を緩和する方向がより多くの方向成分を含むようにして、より多くの方向の圧縮力を緩和できるようにすることができる。
【００２２】
また、請求項４に記載した本発明のシール部材は、請求項１、２又は３に記載した本発明のシール部材において、前記対象物は、前記貫通孔に前記電線を挿通した状態で前記シール部が挿入される挿入孔を有するハウジングであり、前記リップ部はさらに、前記シール部の外周面から膨出形成されて前記貫通方向の周りに環状に延在していることを特徴とする。
【００２３】
請求項４に記載した本発明のシール部材によれば、請求項１、２又は３に記載した本発明のシール部材において、ハウジングの挿入孔にシール部を挿入した際の、挿入孔からリップ部への反力に、環状凹部に加わるリップ部の周辺雰囲気の圧力が対抗して、環状凹部を挟んだリップ部の先端側と基端側とが近づく変形を緩和させるように働く。
【００２４】
したがって、電線と電線が挿入されるハウジングの挿入孔との間をシール部材の挿入孔が圧接するリップ部の変形によって水密にシールする際に、圧縮永久ひずみの原因となるリップ部の圧縮量を減らして、高温の環境下であっても長くシール性を発揮できるようにすることができる。
【発明の効果】
【００２５】
本発明によれば、電線と電線が挿入される対象物との間をシール部材のリップ部の弾性変形によって水密にシールする際に、高温の環境下であっても長くシール性を発揮できるようにすることができる。
【図面の簡単な説明】
【００２６】
【図１】本発明が適用される防水ゴム栓を示す一部切欠斜視図である。
【図２】本発明が適用されるマットシールを示す一部切欠斜視図である。
【図３】図１の防水ゴム栓や図２のマットシールに適用される本発明の一実施形態に係るシール部材を示す一部切欠斜視図である。
【図４】図３のリップ部の拡大断面図である。
【発明を実施するための形態】
【００２７】
以下、本発明の実施形態について図面を参照して説明する。まず、図１及び図２を参照して、本発明の適用対象について説明する。
【００２８】
図１は防水ゴム栓を示す一部切欠斜視図である。図１に示す防水ゴム栓１は、電線（図示せず）をハウジング３の挿入孔３ａに挿入する際に水密シールのために用いられる。防水ゴム栓１は円筒状を呈しており、防水ゴム栓１の中心を貫通する貫通孔１ａに不図示の電線が挿通され、その状態で、ハウジング３の挿入孔３ａに防水ゴム栓１が挿入される。
【００２９】
防水ゴム栓１の外周面１ｂや内周面１ｃにリップ部１ｄ，１ｅが膨出形成されている。これらのリップ部１ｄ，１ｅは、貫通孔１ａの貫通方向の周りに環状に延在している。外周面１ｂのリップ部１ｄは、貫通孔１ａに挿通した不図示の電線に圧接され、電線からの反力を受けて圧縮される。内周面１ｃのリップ部１ｅは、ハウジング３の挿入孔３ａの内周面に圧接され、ハウジング３からの反力を受けて圧縮される。
【００３０】
また、図２はマットシールを示す一部切欠斜視図である。図２に示すマットシール５は、防水コネクタのコネクタハウジングの端子挿入孔に端子付電線（いずれも図示せず）を挿入する際に水密シールのために用いられる。マットシール５は板状を呈しており、その厚さ方向に貫通し不図示の端子付電線がそれぞれ挿通される複数の貫通孔５ａを有している。
【００３１】
マットシール５は、各貫通孔５ａの位置を不図示のコネクタハウジングの各端子挿入孔の位置に合わせて、端子挿入孔が開口する面に当接され、各貫通孔５ａを介して各端子挿入孔に端子付電線がそれぞれ挿通される。
【００３２】
マットシール５の各貫通孔５ａの内周面５ｂにはリップ部５ｃが膨出形成されている。このリップ部５ｃは、貫通孔５ａの貫通方向の周りに環状に延在している。リップ部５ｃは、貫通孔５ａに挿通した不図示の端子付電線に圧接され、端子付電線からの反力を受けて圧縮される。内周面５ｂは、貫通孔５ａに挿通した不図示の端子付電線に圧接され、端子付電線からの反力を受けて圧縮される。
【００３３】
次に、図３及び図４を参照して、上述した図１の防水ゴム栓１や図２のマットシール５に適用される本発明の一実施形態に係るシール部材を説明する。図３は本発明の一実施形態に係るシール部材を示す一部切欠斜視図である。図３に示すシール部材１０では、図１の防水ゴム栓１や図２のマットシール５のリップ部１ｄ，１ｅ，５ｃによる水密シール機能部分を単純化して構成している。
【００３４】
シール部材１０（請求項中のシール部材及びシール部に相当）は円筒状を呈しており、シール部材１０の中心を貫通する貫通孔１０ａの内周面１０ｂにはリップ部１０ｃが膨出形成されている。このリップ部１０ｃは、貫通孔１０ａの貫通方向の周りに環状に延在している。図４の拡大断面図に示すように、リップ部１０ｃの周方向と直交する方向の断面において、リップ部１０ｃは略二等辺三角形状を呈しており、内周面１０ｂからの膨出方向におけるリップ部１０ｃの先端は丸められている。
【００３５】
リップ部１０ｃの断面形状における２つの斜辺上には、環状凹部１０ｄがそれぞれ形成されている。各環状凹部１０ｄは略半円状の窪みによって構成されており、図３に示すように、２つの環状凹部１０ｄは、リップ部１０ｃの各斜辺における、貫通孔１０ａの中心Ｏから同じ半径ｒの同心円上にそれぞれ形成されている。
【００３６】
次に、上述のように構成された本実施形態のシール部材１０の特にリップ部１０ｃの作用について説明する。シール部材１０の貫通孔１０ａに不図示の電線を挿入すると、その電線が貫通孔１０ａの内部でリップ部１０ｃと圧接する。
【００３７】
すると、リップ部１０ｃの膨出方向における先端から基端（シール部材１０の内周面１０ｂ）に向けた反力が、貫通孔１０ａ内の電線からリップ部１０ｃに加わる。この反力によってリップ部１０ｃは、環状凹部１０ｄよりも先端側と基端側とがリップ部１０ｃの膨出方向において近づいて環状凹部１０ｄが潰れるように変形しようとする。
【００３８】
ところで、リップ部１０ｃの各斜辺は、いわば、リップ部１０ｃの周辺雰囲気からの圧力を受ける受圧面として機能する。そして、本実施形態のようにリップ部１０ｃに環状凹部１０ｄを形成すると、斜辺の受圧面積が増えることになる。また、環状凹部１０ｄの表面の各箇所が周辺雰囲気から受ける圧力の向きは、環状凹部１０ｄの各箇所の表面の接線方向と直交する法線方向、但し、リップ部１０ｃの内部側に向かう方向、ということになる。
【００３９】
したがって、リップ部１０ｃは、特に受圧面積が増加した環状凹部１０ｄの部分において、リップ部１０ｃの内部側に向けた放射線状の種々の方向の圧力を周辺雰囲気から受け、この圧力が、リップ部１０ｃと圧接した不図示の電線からの反力に対抗することになる。そして、周辺雰囲気からの圧力が電線からの反力に対抗することで、電線からの反力によるリップ部１０ｃの特に環状凹部１０ｄにおける変形が緩和される。
【００４０】
よって、リップ部１０ｃに環状凹部１０ｄを形成することで、永久変形ひずみの原因となるリップ部１０ｃの圧縮量を減らして、シール部材１０が例えば高温の永久変形ひずみを起こしやすい環境下で使用されても、不図示の電線との間で長くシール性を発揮できるようにすることができる。
【００４１】
そして、上述した環状凹部１０ｄを形成したリップ部１０ｃの構成を、図１の防水ゴム栓１のリップ部１ｄ，１ｅや図２のマットシール５のリップ部５ｃに適用することができる。これにより、図１の防水ゴム栓１のリップ部１ｄ，１ｅによるハウジング３や不図示の電線とのシール性や、図２のマットシール５のリップ部５ｃによる不図示の端子付電線とのシール性を、高温環境下であっても長く発揮できるようにすることができる。
【００４２】
したがって、図１の防水ゴム栓１や図２のマットシール５は、図３のシール部材１０と同様に、請求項中のシール部材及びシール部に相当する。また、図１のリップ部１ｄ，１ｅや図２のリップ部５ｃは、図３のリップ部１０ｃと同様に、請求項中のリップ部に相当する。そして、図２のハウジング３は、図１乃至図３中で図示を省略した電線や端子付電線と同様に、請求項中の対象物に相当する。
【００４３】
なお、図３及び図４に示した実施形態では、リップ部１０ｃの各斜面における、貫通孔１０ａの中心Ｏから同じ半径ｒの同心円上の箇所に、環状凹部１０ｄをそれぞれ形成した場合について説明した。しかし、環状凹部１０ｄをリップ部１０ｃの片方の斜面のみに形成したり、各斜面の環状凹部１０ｄの位置を、貫通孔１０ａの中心Ｏからの距離が異なる位置としてもよい。
【００４４】
但し、環状凹部１０ｄの位置を本実施形態のようにすると、リップ部１０ｃの膨出方向における先端を挟んだ両側に環状凹部１０ｄがそれぞれ位置し、周辺雰囲気からの圧力が各斜辺の対称な位置からリップ部１０ｃに対称な方向及び大きさで作用する。
【００４５】
このため、リップ部１０ｃの変形をリップ部１０ｃの両斜辺の対称な２箇所でそれぞれ同じように緩和させて、変形が緩和されたリップ部１０ｃをより原形に近い形状に復元させることができる。これにより、圧縮永久ひずみの原因となる圧縮力が一部の部分に局所的に生じた状態でリップ部１０ｃが電線と挿通孔との間に介挿され続けるのを避けることができる。
【００４６】
また、図３及び図４に示した実施形態では、環状凹部１０ｄを略半円状の輪郭としたが、例えば、Ｖ字形やＵ字形、あるいは、凹型、正多面体の一部分のような形状等、略半円状（円弧状）以外の輪郭で環状凹部１０ｄを構成してもよい。
【００４７】
但し、環状凹部１０ｄの輪郭を本実施形態のように略半円状（円弧状）とすると、リップ部１０ｃの内部側に向かう環状凹部１０ｄの表面の法線方向に作用するシール部材１０の周辺雰囲気からの圧力で、リップ部１０ｃの環状凹部１０ｄ近傍の部分が、リップ部１０ｃの内部側に向けて均等な力で放射状に押圧されることになる。
【００４８】
このため、リップ部１０ｃの周辺雰囲気からの圧力によりリップ部１０ｃに働く圧縮力を緩和する方向がより多くの方向成分を含むようにして、より多くの方向の圧縮力を緩和できるようにすることができる。
【産業上の利用可能性】
【００４９】
本発明は、電線と電線が挿入される対象物との間をシールする水密用のシール部材に適用して極めて有用である。
【符号の説明】
【００５０】
１  防水ゴム栓（シール部材）
１ａ，５ａ，１０ａ  貫通孔
１ｂ  外周面
１ｃ，５ｂ，１０ｂ  内周面
１ｄ，１ｅ，５ｃ，１０ｃ  リップ部
３  ハウジング（対象物）
３ａ  挿入孔
５  マットシール（シール部材）
５ｃ  リップ部
１０  シール部材
１０ｄ  環状凹部
Ｏ  貫通孔中心
ｒ  貫通孔中心からの半径
【図１】
2015204689.tif 000003
【図２】
2015204689.tif 000004
【図３】
2015204689.tif 000005
【図４】
2015204689.tif 000006